(57)【特許請求の範囲】
【請求項１】
方形枠状の機枠と該機枠の前面一側に開閉自在に軸着され遊技盤が配設される本体枠と該本体枠の前面であってその軸支側に開閉自在に軸着される透明板保持枠とを備え、開放側に施錠装置を設けた遊技機であって、
前記施錠装置は、縦長かつ平板状に形成されると共にその板面が前後方向に沿うように配置され、組み込まれる錠の作動により上下動する帯板状の作動杆と、常態においてネジリコイルバネにより前記本体枠または前記透明板保持枠を施錠するように付勢されかつ前記作動杆の上下動作に伴い前記ネジリコイルバネの付勢に抗し連動して前記本体枠または前記透明板保持枠を開錠する平板状の掛止部材と、を有し、
前記施錠装置における少なくとも前記遊技盤の前記開放側の側端面と対応する範囲では、前記作動杆と前記掛止部材と前記ネジリコイルバネのコイル部とが前後方向で同一鉛直面内に配置されていることを特徴とする遊技機。
【発明の詳細な説明】
【技術分野】
【０００１】
本発明は、パチンコ遊技機、アレンジボール遊技機などの遊技機に関するものである。
【背景技術】
【０００２】
従来、遊技機として代表的なパチンコ遊技機は、例えば方形枠状の機枠の前面に一側を支点として本体枠が開閉自在に回動するように軸着され、その前面に同支軸側を支点として透明板保持枠が開閉自在に回動するように軸着されている。そして、前記本体枠に遊技盤が装着され、透明板保持枠前面の開口から遊技盤の前面が視認できるようになっている。また、前記本体枠の開放側に、機枠に対し本体枠を施錠・開錠しかつ本体枠に対し透明板保持枠を施錠・開錠する施錠装置が設けられている（例えば、特許文献１参照。）。
【０００３】
前記施錠装置は、その錠構造の簡素化や製作コストを抑えるようにしたものであって、更に詳しく説明すると、本体枠の裏面に固着されシリンダー錠が設けられる平断面コ字型の縦長の支持体と、遊技盤の側端面と対向するようにして前記支持体の内側面に配置される作動杆と、該作動杆が上下に可動することにより該作動杆が作動する面と平行な面内で上下に可動して機枠の内面に突設された機枠係合金具に係脱自在に係合する掛止部材としての鉤部材と、前記支持体の上下に可動自在に設けられ前記透明板保持枠の裏面から後方へ突設されるガラス枠鉤が係脱自在に係合する掛止部材としてのガラス枠作動体と、から概ね構成されている。
【先行技術文献】
【特許文献】
【０００４】
【特許文献１】特開２００４−２６１５２０号公報（第４−１０頁、図１、２）
【発明の概要】
【発明が解決しようとする課題】
【０００５】
ところで、近年、パチンコ遊技機にあっては、遊技の興趣を高めるため例えば遊技盤面に装着する可変表示装置やその他の装飾部品の大型化が顕著であり、これに伴い遊技盤も拡大化の一途を辿っている。このように、遊技盤が拡大化されるのはいいが、該遊技盤が装着される本体枠や該本体枠が取り付けられる機枠の大きさ、すなわちパチンコ遊技機の上下・左右方向の寸法はあらかじめ設定され決められている関係から、遊技盤の拡大化にも限界がある。また、パチンコ遊技機の一側である開放側に遊技盤の側端面と対応位置するようにして施錠装置が配置されるが、該施錠装置に遊技盤の拡大化の皺寄せが及んでおり、施錠装置にあってパチンコ遊技機を正面から見た左右方向と同じ方向の幅を少しでも薄く成形されるようにすることが望まれている。
【０００６】
そこで、本発明は前記課題に鑑みてなされたもので、施錠装置にあってパチンコ遊技機を正面から見た左右方向と同じ方向の幅を極力薄く形成するようにして、限られた範囲内で遊技盤のより一層の拡大化を図ることができる遊技機を提供することを目的とするものである。
【課題を解決するための手段】
【０００７】
かかる目的を達成するため本発明の遊技機は、方形枠状の機枠と該機枠の前面一側に開閉自在に軸着され遊技盤が配設される本体枠と該本体枠の前面であってその軸支側に開閉自在に軸着される透明板保持枠とを備え、開放側に施錠装置を設けた遊技機であって、前記施錠装置は、縦長かつ平板状に形成されると共にその板面が前後方向に沿うように配置され、組み込まれる錠の作動により上下動する帯板状の作動杆と、常には弾発手段により前記本体枠または前記透明板保持枠を施錠するように付勢されかつ前記作動杆の上下動作に伴い前記弾発手段の付勢に抗し連動して前記本体枠または前記透明板保持枠を開錠する平板状の掛止部材と、を有し、前記施錠装置における少なくとも前記遊技盤の前記開放側の側端面と対応する範囲では、前記作動杆と前記掛止部材とが前後方向で同一鉛直面内に配置されていることを特徴とする。
【０００８】
前記弾発手段は、線材を平面内で屈曲しかつ該平面内で伸縮するようにしたバネであることが好ましい。
【０００９】
前記バネは、平面内で屈曲しかつ該平面内で伸縮するネジリコイルバネであることが好ましい。
【発明の効果】
【００１０】
本発明に係る遊技機は、開放側に施錠装置を設けた遊技機であって、施錠装置が縦長かつ平板状に形成されると共にその板面が前後方向に沿うように配置され、組み込まれる錠の作動により上下動する帯板状の作動杆と、常には弾発手段により本体枠または透明板保持枠を施錠するように付勢されかつ作動杆の上下動作に伴い弾発手段の付勢に抗し連動して本体枠または透明板保持枠を開錠する平板状の掛止部材と、を有し、施錠装置における少なくとも遊技盤の前記開放側の側端面と対応する範囲では、作動杆と掛止部材とが前後方向で同一鉛直面内に配置されるようにした。このように、作動杆と各掛止部材とが同一鉛直面内に配置されるので、その分施錠装置にあって遊技機を正面から見た左右方向と同じ方向の幅が狭められ、施錠装置が薄型に形成される。これにより、限られた範囲内で遊技盤のより一層の拡大化を図ることができるという効果がある。
【００１１】
また、この際、弾発手段として線材を平面内で屈曲しかつ該平面内で伸縮するようにしたバネとすることによって、前記作動杆と各掛止部材を同一鉛直面内に配置したことと重なり、施錠装置の更なる薄型が可能になり、その分遊技盤の拡大化に寄与する。弾発手段としては、好適なものとして例えば平面内で屈曲しかつ該平面内で伸縮するネジリコイルバネがある。
【図面の簡単な説明】
【００１２】
【図１】透明板保持枠と本体枠とを開いた本発明に係るパチンコ遊技機の斜視図。
【図２】一部を断面にして示すパチンコ遊技機の平面図。
【図３】施錠装置の斜視図。
【図４】同分解斜視図。
【図５】（イ）は同側面図、（ロ）は同外側カバーを外した状態の側面図。
【図６】（イ）は図５（ロ）のＸ−Ｘ線拡大断面図、（ロ）は同Ｙ−Ｙ線拡大断面図。
【図７】（イ）（ロ）（ハ）は内側カバーを外した施錠装置の作用を説明する斜視図。
【図８】施錠装置部位の拡大平面断面図。
【発明を実施するための形態】
【００１３】
以下、本発明に係る遊技機を実施するための最良の形態を図面に基づき詳しく説明する。本発明に係る遊技機には、パチンコ遊技機、アレンジボール遊技機、雀球遊技機、パチスロ遊技機等の遊技機が有るが、この内、本発明はその一例としてパチンコ遊技機について説明する。
【００１４】
図１は透明板保持枠と本体枠とを開いた本発明に係るパチンコ遊技機の斜視図、図２は一部を断面にして示すパチンコ遊技機の平面図である。パチンコ遊技機Ｐは、方形枠状の機枠１と、該機枠１の前面一側、パチンコ遊技機Ｐを正面から見た左側、に開閉自在に軸着される本体枠２と、該本体枠２の前面であってその軸支部Ｏ側に開閉自在に軸着される透明板保持枠３と、から構成される。本体枠２には、遊技盤４が配設される。また、遊技盤４の下方であって本体枠２の前面に、その一側に寄せて発射レール５及び該発射レール５に供給される遊技媒体であるパチンコ球を遊技盤４面に発射させる発射装置６が取着されている。更に、発射装置６の下方に、該発射装置６により発射されるパチンコ球の打球力を調整する打球力調整ハンドル７が装着される。前記発射レール５や発射装置６部位は透明板保持枠３によりその前側が覆われるが、打球力調整ハンドル７は透明板保持枠３により覆われることはなく、外部に露出している。
【００１５】
前記遊技盤４の前面に、渦巻き状に敷設された内側・外側ガイドレール８ａ，８ｂにより囲われるようにして遊技領域である遊技部４ａが形成される。図示は省略するが、前記遊技部４ａには、例えばその中央に文字、数字等の図柄を変動表示する変動表示装置が配設される。また、その下方に遊技部４ａに打ち込まれたパチンコ球が入賞することにより前記変動表示装置に表示した図柄を変動させる始動入賞口が配置され、更に、その下方に一度に多くの入賞球を発生する大型の入賞装置が配置される。遊技部４ａの中央下縁に、該遊技部４ａに打ち込まれたパチンコ球であっていずれの入賞口にも入賞しなかったパチンコ球をアウト球として遊技盤４の後側へ排出するアウト球口が設けられる。
【００１６】
前記透明板保持枠３は、本体枠２の前面とほぼ同じ大きさを有し、額縁状に形成されると共にその開口９を通して前記遊技盤４の前面である遊技部４ａが視認できるようになっている。該開口９には、ガラス板または合成樹脂板からなる透明板１０が装着される。また、透明板保持枠３の前面下部に、前記発射レール５に供給するパチンコ球を貯留する球受皿３ａが装着されている。透明板保持枠３の裏面下部には、前記球受皿から流入するパチンコ球を発射レール５に一個ずつ供給するための打球供給装置１１が設けられている。
【００１７】
そして、前記本体枠２の開放側の外側面に、該本体枠２と透明板保持枠３をそれぞれ施錠または開錠するための施錠装置Ａが取着される。この場合、本体枠２は機枠１側に施錠され、透明板保持枠３は本体枠２側に施錠される。このため、機枠１における正面から見た右側に位置する縦杆１ａの内側面１ｂに、上下に位置して施錠装置Ａの後端面から後方へ突出する掛止部材としての後記する第一・二上向係止部材２２ａ，２２ｂが係止する掛止部材としての平面Ｌ字型の機枠係合金具１２，１２が取着される。一方、透明板保持枠３を正面から見た右側縁部の裏面に、上下とその間に位置して施錠装置Ａの前側から前方へ突出する掛止部材としての後記する第一乃至三下向係止部材２１ａ，２１ｂ，２１ｃが係止する掛止部材としての平面略コ字型の保持枠係合金具１３，１３，１３が取着されている。
【００１８】
次に、図３乃至６に基づき施錠装置Ａについて説明する。図３は施錠装置の斜視図、図４は同分解斜視図、図５（イ）は同側面図、（ロ）は同外側カバーを外した状態の側面図、図６（イ）は図５（ロ）のＸ−Ｘ線拡大断面図、（ロ）は同Ｙ−Ｙ線拡大断面図である。施錠装置Ａは上下に縦長であってしかも正面から見て中空平板状に形成され、図１に示すように本体枠２の右側壁２ａの外側面に沿わせ板面が前後方向に沿うようにして配置固定される。施錠装置Ａは、縦長平板状の内側カバー１６と、該内側カバー１６とほぼ同じ大きさからなり所定の距離離して対向位置する外側カバー１７と、その間に配設される縦長帯板状の作動杆１８と、から概ね構成される。
【００１９】
前記内側カバー１６は、内カバー板１６ａの前端縁に内側へ直角に屈曲する厚幅板１６ｂが設けられ、該厚幅板１６ｂの先端縁が外側カバー１７の前端縁に当接することになる。この厚幅板１６ｂには、その上下方向に沿って所定の間隔離しかつ少し内カバー板１６ａに掛かるようにして、掛止部材としての後記する第一乃至三下向係止部材２１ａ，２１ｂ，２１ｃの先端部を前方へ突出させるための第一乃至三通孔１９ａ，１９ｂ，１９ｃが開設される。また、第二通孔１９ｂと第三通孔１９ｃとの間に、作動杆１８における一側面下部の前端縁に突設されたカム受片４６が介入する切欠口２０が開設される。
【００２０】
内側カバー１６における内側面であってかつ前端側の上下方向に沿って三個の第一乃至三下向係止部材２１ａ，２１ｂ，２１ｃが配設され、同じく内側カバー１６における内側面であって後端側の上下方向に沿って二個の第一・二上向係止部材２２ａ，２２ｂが配設される。第一乃至三下向係止部材２１ａ，２１ｂ，２１ｃは、縦長の長方形状の基板２３の上部前端縁に下向きの鉤片部２４が突設され、上部後端縁に後方へ突出する突部２５が一体に設けられている。基板２３の中央部には、上下方向に沿ってスライド長孔２６が開設される。このスライド長孔２６は下部の溝幅が上部の溝幅よりも広く形成され、次に説明するピン２７がスライド長孔２６における下部の広幅溝部に挿通される。そして、ピン２７はスライド長孔２６、正確には該スライド長孔２６における下部の広幅溝部、に挿通した状態で内側カバー１６にカシメ着される。これにより、各第一乃至三下向係止部材２１ａ，２１ｂ，２１ｃが、ピン２７に沿って上下動することになる。
【００２１】
この際、各第一乃至三下向係止部材２１ａ，２１ｂ，２１ｃと内側カバー１６とに架け渡すようにして、弾発手段としてのネジリコイルバネ２８が装着される。該ネジリコイルバネ２８は、線材を平面内で屈曲しかつ該平面内で伸縮するようになっており、巻回したコイル部２８ａから延出する二本の支杆２８ｂ，２８ｂの先端をそれぞれ第一乃至三下向係止部材２１ａ，２１ｂ，２１ｃの基板２３上部に開設された係止孔２９と内側カバー１６の内カバー板１６ａに開設された係止孔３０に挿入する。これにより、ネジリコイルバネ２８の弾発力によって、第一乃至三下向係止部材２１ａ，２１ｂ，２１ｃがそれぞれ下方へ付勢されることになる。
【００２２】
一方、内側カバー１６における内側面にあって後端側の上下方向に沿って配設される二個の第一・二上向係止部材２２ａ，２２ｂは、縦長の基板３１の下部の後端縁に側面Ｌ字型をなすように上向きの鉤片部３２が突設されており、基板３１の中央部には上下方向に沿ってスライド長孔３３が開設される。このスライド長孔３３は下部の溝幅よりも上部の溝幅の方が広く形成されており、ピン３４がそのスライド長孔３３における上部の広幅溝部に挿通される。そして、各ピン３４はスライド長孔３３、正確には該スライド長孔３３における上部の広幅溝部、に挿通した状態で内側カバー１６にカシメ着される。これにより、各第一・二上向係止部材２２ａ，２２ｂがピン３４に沿って上下動することになる。
【００２３】
この場合も、各第一・二上向係止部材２２ａ，２２ｂと内側カバー１６とに架け渡すようにして、弾発手段としてのネジリコイルバネ２８が装着される。該ネジリコイルバネ２８も、線材を平面内で屈曲しかつ該平面内で伸縮するようになっており、巻回したコイル部２８ａから延出する二本の支杆２８ｂ，２８ｂの先端をそれぞれ第一・二上向係止部材２２ａ，２２ｂの基板３１下部に開設された係止孔２９と内側カバー１６の内カバー板１６ａに開設された係止孔３０に挿入する。これにより、ネジリコイルバネ２８の弾発力によって、第一・二上向係止部材２２ａ，２２ｂがそれぞれ上方へ付勢されることになる。
【００２４】
外側カバー１７は、外カバー板１７ａの後端縁に内側へ直角に屈曲する厚幅板１７ｂが形成され、該厚幅板１７ｂの上部と下部とに前記第一・二上向係止部材２２ａ，２２ｂの鉤片部３２，３２が突出する第四・五通孔３５ａ，３５ｂが開設される。また、外カバー板１７ａの内側面の所定位置に内側面側へ窪ませた複数の隆起部３６が設けられる。これは、作動杆１８側面との接触面積を減らしてその摺動動作を円滑にさせるためである。外カバー板１７ａの上下端部及び中央部に、それぞれピン３７を挿通させるためのピン挿通孔３８が設けられる。
【００２５】
作動杆１８は、内側カバー１６と外側カバー１７との間で上下動するようになっており、上下方向に亘りプレスによって窪ませた長溝凹部３９が形成され、作動杆１８を屈曲させることにより曲げ強度の向上を図っている。そして、前端側の上端に水平押上部４０が設けられる。この水平押上部４０は、第一下向係止部材２１ａの下端面２３ａを当接して係合させるためのものである。また、前端側の中央よりやや下方に後方へ窪む窪み部４１が形成され、該窪み部４１の下縁に水平押上部４０が設けられる。この水平押上部４０は、第二下向係止部材２１ｂの下端面２３ａを当接して係合させるためのものである。更に、作動杆１８の前端側の下端部に切欠部４２が形成されると共に、その下端に水平段部４３が設けられる。この水平段部４３は、第三下向係止部材２１ｃの上端から後方へ突出する突部２５を当接して係合させるためのものである。
【００２６】
作動杆１８の後端側にはその上下部に位置して前方へ窪む一対の凹部４４，４４が形成され、該各凹部４４の上端に水平押下部４５が設けられる。これら水平押下部４５，４５は、第一・二上向係止部材２２ａ，２２ｂの上端面３１ａを当接して係合させるためのものである。また、作動杆１８における一側面下部の前端側に内側、すなわちパチンコ遊技機Ｐを正面から見た左側、へ突出するカム受片４６が設けられる。このカム受片４６は、錠としての後記するシリンダー錠４８の錠軸４８ａ後端に固着されたカム片５１を係合させるためのものである。作動杆１８の中央部に、前記中央のピン３７が遊嵌されるガイド長孔４７が上下方向に開設される。
【００２７】
このように構成される作動杆１８は、第一乃至三下向係止部材２１ａ，２１ｂ，２１ｃと第一・二上向係止部材２２ａ，２２ｂが装着された内側カバー１６と外側カバー１７との間に配置され、内側カバー１６と外側カバー１７とを重ねると共に外側カバー１７の外側から各ピン挿通孔３８にピン３７を挿入し、該各上下端部のピン３７と中央部のピン３７を内側カバー１６にカシメ着する。これにより、施錠装置Ａが組み立てられる。この際、図６（イ）（ロ）に示すように作動杆１８と各第一乃至三下向係止部材２１ａ，２１ｂ，２１ｃ及び第一・二上向係止部材２２ａ，２２ｂとは、同一鉛直面内に配置されている。
【００２８】
そして、作動杆１８の前端側の上端に設けられた水平押上部４０に、第一下向係止部材２１ａの下端面２３ａが当接して係合する。また、前端側の中央よりやや下方に設けられた水平押上部４０に、第二下向係止部材２１ｂの下端面２３ａが当接して係合する。更に、作動杆１８の前端側の下端部に設けられた水平段部４３に、第三下向係止部材２１ｃの上端から後方へ突出する突部２５の下面２５ａが当接して係合する。作動杆１８の後端側では、その上下部に位置して設けられた水平押下部４５，４５に第一・二上向係止部材２２ａ，２２ｂの上端面３１ａが当接して係合する。前記第一乃至三下向係止部材２１ａ，２１ｂ，２１ｃは、いずれもネジリコイルバネ２８により作動杆１８の水平押上部４０，４０、水平段部４３側へ付勢されている。すなわち、下方へ付勢されている。これに対し、第一・二上向係止部材２２ａ，２２ｂは、いずれもネジリコイルバネ２８により作動杆１８の水平押下部４５，４５側へ付勢されている。すなわち、上方へ付勢されている。
【００２９】
作動杆１８は、第一乃至三下向係止部材２１ａ，２１ｂ，２１ｃの下向き付勢と第一・二上向係止部材２２ａ，２２ｂの上向き付勢とにより所定位置で停止し、その位置から付勢に抗して上下に可動し得るようになっている。また、前端縁の３個の第一乃至三通孔１９ａ，１９ｂ，１９ｃからそれぞれ第一乃至三下向係止部材２１ａ，２１ｂ，２１ｃの鉤片部２４が前方へ突出し、後端縁の２個の第四・五通孔３５ａ，３５ｂからそれぞれ第一・二上向係止部材２２ａ，２２ｂが後方へ突出している。また、内側下部の前端縁に開設された切欠口２０から内側へ突出するカム受片４６の一側には、シリンダー錠４８が配置されることになる。
【００３０】
図１、図８に示すように、施錠装置Ａは本体枠２における開放側の側壁２ａの外側面に内側カバー１６の外側面が重ね合わさるようにして取着される。このとき、作動杆１８はその板面が前後方向に沿うようにして配置されている。そして、常にはネジリコイルバネ２８の付勢により前端縁から前方へ突出する第一乃至三下向係止部材２１ａ，２１ｂ，２１ｃがそれぞれ透明板保持枠３の一側裏面に設けられた保持枠係合金具１３，１３，１３に上から係合している。また、ネジリコイルバネ２８の付勢により後端縁から後方へ突出する第一・二上向係止部材２２ａ，２２ｂが、それぞれ機枠１の一側の内側面１ｂに設けられた機枠係合金具１２，１２に下から係合している。
【００３１】
前記シリンダー錠４８は、本体枠２の下部一側に前後方向に沿ってほぼ水平に配置され、円柱状の錠本体４９と、該錠本体４９の後端に設けられる取付片５０と、錠本体４９の後端から後方へ突出する錠軸４８ａに固着されるカム片５１と、からなり、錠本体４９の前面に鍵穴５２が設けられている。該シリンダー錠４８は取付片５０により本体枠２に固着された状態で、該本体枠２側に形成され打球力調整ハンドル７が取り付けられた周囲部位を形成し、かつ、デザイン的に透明板保持枠３の下部と一体化して見られる装飾板部１４により覆われ、その鍵穴５２のみが前側に露出している。また、前記カム片５１は、略Ｃ型に形成されると共に作動杆１８に設けられたカム受片４６に該カム受片４６の周囲を囲うようにして係合する。
【００３２】
本発明に係るパチンコ遊技機Ｐは上記構成からなり、次に作用を説明する。機枠１に本体枠２が施錠されかつ本体枠２に透明板保持枠３が施錠され、共に閉じられている状態では、図７（イ）に示すようにネジリコイルバネ２８の付勢により施錠装置Ａにおける前端縁側の第一乃至三下向係止部材２１ａ，２１ｂ，２１ｃがそれぞれ透明板保持枠３の一側裏面に設けられた保持枠係合金具１３，１３，１３に上から係合している。また、ネジリコイルバネ２８の付勢により後端縁側の第一・二上向係止部材２２ａ，２２ｂが、それぞれ機枠１の一側の内側面に設けられた機枠係合金具１２，１２に下から係合している。
【００３３】
そこで、例えば透明板保持枠３を開放する場合は、パチンコ遊技機Ｐの前側からシリンダー錠４８の鍵穴５２に鍵（図示せず。）を差し込んで反時計回り方向へ回動させる。これに伴い、図７（ロ）に示すようにシリンダー錠４８の錠軸４８ａと共にカム片５１が同じ方向へ回動し、カム片５１の下部爪５１ｂがカム受片４６を上方へ押し上げる。また、カム受片４６と共に作動杆１８が押し上げられ、作動杆１８の前端側では各水平押上部４０，４０及び水平段部４３が第一乃至三下向係止部材２１ａ，２１ｂ，２１ｃを押し上げ、各鉤片部２４と各保持枠係合金具１３との係合を解く。これにより、透明板保持枠３が開放できることになる。この際、作動杆１８が上動しても、第一・二上向係止部材２２ａ，２２ｂは上方へ付勢されており、しかも、第一・二上向係止部材２２ａ，２２ｂと機枠係合金具１２，１２とが係合したままであって、第一・二上向係止部材２２ａ，２２ｂの上端面３１ａと作動杆１８の水平押下部４５とが離れるのみである。よって、第一・二上向係止部材２２ａ，２２ｂと機枠係合金具１２，１２との係合状態が解かれることはない。
【００３４】
透明板保持枠３が前側へ開放されれば、鍵を元の位置に戻す。これにより、作動杆１８が元の位置に下動し第一乃至三下向係止部材２１ａ，２１ｂ，２１ｃも付勢により可動して元の位置に戻る。また、第一・二上向係止部材２２ａ，２２ｂの上端面３１ａと作動杆１８の各水平押下部４５とが当接する。開放された透明板保持枠３は、そのまま本体枠２側へ押すことにより、各保持枠係合金具１３の上端縁が第一乃至三下向係止部材２１ａ，２１ｂ，２１ｃの鉤片部２４の前端縁に当接する。該鉤片部２４の前端縁は側面、すなわちパチンコ遊技機Ｐの側面、から見た場合、後方へ進むに従い漸次下方へ下がるように傾斜している。よって、鉤片部２４の傾斜面２４ａに前記保持枠係合金具１３の上端縁が当接することにより、各第一乃至三下向係止部材２１ａ，２１ｂ，２１ｃが押し上げられ、最終的に第一乃至三下向係止部材２１ａ，２１ｂ，２１ｃと各保持枠係合金具１３とが自動的に係合することになる。
【００３５】
次に、例えば透明板保持枠３を閉めたまま本体枠２を開放する場合は、前記と同様にパチンコ遊技機Ｐの前側からシリンダー錠４８の鍵穴５２に鍵を差し込んで時計回り方向へ回動させる。これに伴い、図７（ハ）に示すようにシリンダー錠４８の錠軸４８ａと共にカム片５１が同じ方向へ回動し、カム片５１の上部爪５１ａがカム受片４６を下方へ押し下げる。また、カム受片４６と共に作動杆１８が下動し、作動杆１８の後端側で各水平押下部４５，４５が第一・二上向係止部材２２ａ，２２ｂを押し下げ、各鉤片部３２と各機枠係合金具１２との係合を解く。これにより、本体枠２が開放できることになる。この際、作動杆１８が下動しても、第一乃至三下向係止部材２１ａ，２１ｂ，２１ｃは下方へ付勢されており、しかも、第一乃至三下向係止部材２１ａ，２１ｂ，２１ｃと保持枠係合金具１３，１３，１３とが係合したままであって、第一乃至三下向係止部材２１ａ，２１ｂの下端面２３ａと作動杆１８の水平押上部４０，４０及び水平段部４３と突部２５が離れるのみである。よって、第一乃至三下向係止部材２１ａ，２１ｂ，２１ｃと保持枠係合金具１３，１３，１３との係合状態が解かれることはない。
【００３６】
本体枠２が前側へ開放されれば、鍵を元の位置に戻す。これにより、作動杆１８が元の位置に上動し第一・二上向係止部材２２ａ，２２ｂも付勢により可動して元の位置に戻る。また、第一乃至二下向係止部材２１ａ，２１ｂの下端面２３ａと作動杆１８の水平押上部４０及び水平段部４３と突部２５が当接する。開放された本体枠２は、そのまま機枠１側へ押すことにより、各機枠係合金具１２の下端縁が第一・二上向係止部材２２ａ，２２ｂの鉤片部３２の前端縁に当接する。該鉤片部３２の前端縁は側面、すなわちパチンコ遊技機Ｐの側面、から見た場合、前方へ進むに従い漸次上方へ上がるように傾斜している。よって、鉤片部３２の傾斜面３２ａに前記機枠係合金具１２の下端縁が当接することにより、第一・二上向係止部材２２ａ，２２ｂが押し下げられ、最終的に第一・二上向係止部材２２ａ，２２ｂと各機枠係合金具１２，１２とが自動的に係合することになる。
【００３７】
本発明にあっては、作動杆１８に対して第一乃至三下向係止部材２１ａ，２１ｂ，２１ｃ及び第一・二上向係止部材２２ａ，２２ｂがそれぞれ所定の位置に配置され、しかも、互いに前後方向で同一鉛直面内で係合するようにしている。この前後方向とは、本体枠２の前面に対して直交する面のみではなく平面的に見て左右に少し傾斜する場合も含む。しかしながら、問題となるのは施錠装置Ａにあって遊技盤４における開放側の側端面４ｂと対応する範囲であるから、少なくともその範囲内に含まれる係止部材についてのみ作動杆１８と前後方向であって同一鉛直面内で係合すれば良い。遊技盤４における開放側の側端面４ｂと対応する範囲とは、遊技盤４がそのままパチンコ遊技機Ｐを正面から見て右側かつ上方へ拡大化した場合に、その拡大化の邪魔にならない範囲を言う。そのためには、拡大化された場合の遊技盤４における開放側の側端面４ｂを施錠装置Ａ側へ投影して、作動杆１８、第一乃至三下向係止部材２１ａ，２１ｂ，２１ｃ及び第一・二上向係止部材２２ａ，２２ｂであってその影に含まれる部位は同一面内に配置する必要がある。よって、例えば施錠装置Ａの下端部に位置し前記範囲外に位置する第三下向係止部材２１ｃにあっては、作動杆１８と同一鉛直面内に配置されてなくても差し支えないことになる。また、弾性手段としてのネジリコイルバネ２８についても、少なくとも遊技盤４における開放側の側端面４ｂと対応する範囲に位置するネジリコイルバネ２８についてのみその形状を平面的に薄く形成すれば良い。
【００３８】
このように、本発明に係るパチンコ遊技機Ｐは、開放側に施錠装置Ａを設けており、該施錠装置Ａが、縦長かつ平板状に形成されその板面が前後方向に沿うように配置されかつ組み込まれたシリンダー錠４８の作動により上下動する作動杆１８と、上下方向に可動すると共にネジリコイルバネ２８により作動杆１８側へ付勢され該作動杆１８の動作と連動して本体枠２と透明板保持枠３とを開閉自在に施錠するための平板状の第一乃至三下向係止部材２１ａ，２１ｂ，２１ｃ及び第一・二上向係止部材２２ａ，２２ｂと、を有する。そして、少なくとも遊技盤４における開放側の側端面４ｂと対応する範囲では、作動杆１８と第一乃至三下向係止部材２１ａ，２１ｂ，２１ｃ及び第一・二上向係止部材２２ａ，２２ｂとが前後方向で同一鉛直面内に配置されている。このように、作動杆１８と第一乃至三下向係止部材２１ａ，２１ｂ，２１ｃ及び第一・二上向係止部材２２ａ，２２ｂとが同一鉛直面内に配置されるので、その分施錠装置Ａにあってパチンコ遊技機Ｐを正面から見た左右方向と同じ方向の幅を狭めることができて施錠装置Ａが極力薄型に形成される。
【００３９】
また、この際、弾発手段として平面内で屈曲しかつ該平面内で伸縮するネジリコイルバネ２８を使用しているので、該ネジリコイルバネ２８も平面的に薄く形成されることから、作動杆１８と同一面内に含ませることができる。よって、これによっても施錠装置Ａを極力薄くできる。この種弾発手段としては、線材を平面内で屈曲しかつ該平面内で伸縮するようにしたバネであれば良く、例えば線細工バネがある。
【００４０】
前記本体枠２における開放側の側壁２ａは、図２、図８に示すように平面的に見て前側へ進むに従い漸次外側へ広がるように形成されている。そして、該側壁２ａと機枠１との間に位置して施錠装置Ａが該側壁２ａの外面に重ね合わさるように取着されることになる。また、施錠装置Ａも平面的に見て前側が外側へ開くように傾斜させて配置される。これにより、パチンコ遊技機Ｐの前面に対して直交するように配置される本体枠２における開放側の側壁２ａや施錠装置Ａと比較して、その分遊技盤４が配設される部位であって開放側、すなわちパチンコ遊技機Ｐを正面から見て右側の側壁２ａの内側、にスペース的な余裕が生まれる。よって、これにより限られた範囲内で遊技盤４のより一層の拡大化を図ることができる。
【００４１】
この際、施錠装置Ａが本体枠２における側壁２ａの外面に取着された状態で本体枠２の軸支部Ｏを中心として回動するので、該本体枠２の開閉動作に伴い該施錠装置Ａが機枠１における同じ側の縦枠１ａの内側面１ｂに当たるようなことがあってはならない。このため、該本体枠２が支えて回動し得ないといった支障の生じない範囲を考慮して、この施錠装置Ａの傾斜度合いは、図２に示すように該本体枠２の軸支部Ｏを中心とする円弧軌跡Ｃを描いた場合、機枠１一側の縦杆１ａの内側面１ｂに接触しない範囲で最大半径の円弧軌跡Ｃを描き、施錠装置Ａがその最大半径の円弧軌跡Ｃよりも外側へ食み出ない範囲で設定され、該施錠装置Ａの取付位置が決まる。
【００４２】
また、前記施錠装置Ａにおける作動杆１８もその前端縁に設けられた窪み部４１、切欠部４２と後端縁に設けられた一対の凹部４４，４４をそれぞれ前後方向で互いに重ならないようにジグザグ状に設け、該作動杆１８の前後方向の幅を極力狭めるようにしている。これにより、施錠装置Ａ自体の前後方向の幅を狭めることができ、前記円弧軌跡Ｃの内側という制限されたスペースにも設置し易い。
【００４３】
本発明に係るパチンコ遊技機Ｐにあっては、施錠装置Ａ側の掛止部材としての第一乃至三下向係止部材２１ａ，２１ｂ，２１ｃ及び第一・二上向係止部材２２ａ，２２ｂにそれぞれ鉤片部２４，３２を設け、機枠１及び透明板保持枠３側の掛止部材としての機枠係合金具１２、保持枠係合金具１３は該鉤片部２４，３２が係合できるような構成としている。これに対し、逆に、機枠係合金具１２、保持枠係合金具１３に固定される鉤片部を設け、施錠装置Ａ側の第一乃至三下向係止部材２１ａ，２１ｂ，２１ｃ及び第一・二上向係止部材２２ａ，２２ｂの鉤片部２４，３２を削除し、前記各鉤片部を施錠装置Ａ側の第一乃至三下向係止部材２１ａ，２１ｂ，２１ｃ及び第一・二上向係止部材２２ａ，２２ｂに掛止するようにしても良い。また、施錠装置Ａを本体枠２に取着した場合を説明したが、これ以外に施錠装置Ａを機枠１または透明板保持枠３に取着した遊技機であっても、本発明が適用できることは勿論である。更に、錠として鍵を使うシリンダー錠を示したが、鍵を使用しない所謂電子錠を組み込んだ施錠装置を備える遊技機にも本発明が適用できる。
【符号の説明】
【００４４】
１              機枠
２              本体枠
３              透明板保持枠
１８            作動杆
２１ａ          第一下向係止部材
２１ｂ          第二下向係止部材
２１ｃ          第三下向係止部材
２２ａ          第一上向係止部材
２２ｂ          第二上向係止部材
２８            弾発手段（ネジリコイルバネ）
２８ａ          コイル部
４８            錠（シリンダー錠）
Ａ              施錠装置
Ｐ              遊技機（パチンコ遊技機）
【図１】
0005646719.tif 000002
【図２】
0005646719.tif 000003
【図３】
0005646719.tif 000004
【図４】
0005646719.tif 000005
【図５】
0005646719.tif 000006
【図６】
0005646719.tif 000007
【図７】
0005646719.tif 000008
【図８】
0005646719.tif 000009